(57)【特許請求の範囲】
【請求項１】
内部にエアコン用冷媒管を収容すべく相互に結合される基台と蓋体とから成り、空中部に配置される直状保護カバーと接続されるエアコン用冷媒管の付属保護カバーであって、
前記基台及び蓋体は、配管方向に沿って屈曲されていて、前記基台は、前記直状保護カバーを前記空中部で保持すべく配管状態で前記空中部に配置される保持部を備え、該保持部を介して前記直状保護カバーが接続されることを特徴とするエアコン用冷媒管の付属保護カバー。
【請求項２】
前記直状保護カバーは、基台と蓋体とから成って、付属保護カバーの基台に設けられた前記保持部によって該直状保護カバーの基台を保持することにより、両カバーの各基台が互いに接続されることを特徴とする請求項１に記載のエアコン用冷媒管の付属保護カバー。
【請求項３】
前記保持部は、基台の底壁に設けられ、前記直状保護カバーの基台底壁の表面側及び裏面側にそれぞれ配置されて、該直状保護カバーの基台底壁を挟持する各挟持片で構成されることを特徴とする請求項２に記載のエアコン用冷媒管の付属保護カバー。
【請求項４】
基台及び蓋体は、エアコン用冷媒管の配管経路上の障害物を回避すべく、その長手方向において屈曲されて成ることを特徴とする請求項１ないし３のいずれかに記載のエアコン用冷媒管の付属保護カバー。
【請求項５】
内部にエアコン用冷媒管を収容すべく相互に結合される基台と蓋体とから成り、空中部に配置される直状保護カバーと接続されるエアコン用冷媒管の付属保護カバーであって、
前記基台及び蓋体は、配管方向に沿った二箇所で逆方向に屈曲されていることを特徴とするエアコン用冷媒管の付属保護カバー。
【請求項６】
前記基台及び蓋体の配管方向の両端の各接続開口部は、互いに平行となっていることを特徴とする請求項５に記載のエアコン用冷媒管の付属保護カバー。
【発明の詳細な説明】
【０００１】
【発明の属する技術分野】
本発明は、空中部に配置される直状保護カバーと接続されて、部分的に空中部に配管されるエアコン用冷媒管を内部に収容して保護するための付属保護カバーに関するものである。
【０００２】
【従来の技術】
建物壁に沿って配管されたエアコン用冷媒管を内部に収容して保護するには、直線状をした直状保護カバー（以下、「直状カバー」という）と、屈曲部、出隅部、或いは入隅部において直状カバーどうしを接続するための付属保護カバー（以下、「付属カバー」という）との２種類の保護カバーが使用される。
【０００３】
この２種類の保護カバーは、いずれも基台と、該基台に結合される蓋体とからなって、いずれの基台も壁面に密着固定して使用される。よって、冷媒管が配管される部分の壁面に雨樋などの障害物がある場合には、冷媒管は、部分的に空中配管される。この壁面における障害物がある部分には、保護管の基台を固定できないために、部分的に空中配管された冷媒管は、当該部分のみが露出状態となることがあり、冷媒管が部分的に保護されないと共に、外観も悪くなる。
【０００４】
【発明が解決しようとする課題】
本発明は、壁面に障害物があって、部分的に空中配管されたエアコン用冷媒管の空中配管部を保護カバーにより保護可能にすることを課題としている。
【０００５】
【課題を解決するための手段】
この課題を解決するための請求項１の発明は、内部にエアコン用冷媒管を収容すべく相互に結合される基台と蓋体とから成り、空中部に配置される直状保護カバーと接続されるエアコン用冷媒管の付属保護カバーであって、前記基台及び蓋体は、配管方向に沿って屈曲されていて、前記基台は、前記直状保護カバーを前記空中部で保持すべく配管状態で前記空中部に配置される保持部を備え、該保持部を介して前記直状保護カバーが接続されることを、その特徴としている。また、請求項５の発明は、同様のエアコン用冷媒管の付属保護カバーであって、前記基台及び蓋体は、配管方向に沿った二箇所で逆方向に屈曲されていることを、その特徴としている。
【０００６】
請求項１の発明によれば、付属カバーの基台に保持部が設けられていて、該保持部によって、空中部に配置される直状カバーが、その両側の各付属カバーに保持されて、両カバーが接続される。このため、上記保持部を備えた付属カバーによれば、壁面の入隅部などに設けられた障害物を避けて、部分的に空中配管されたエアコン用冷媒管を内部に収容して保護できる。また、請求項５の発明によれば、建物壁の平面部に設置された障害物を跨いでエアコン用冷媒管を配管できる。
【０００７】
【発明の実施の形態】
最初に、本発明に係る付属カバーについて説明する。図１は、本発明に係る付属カバーＣ1 を使用してエアコン用冷媒管Ｐの空中配管部を収容保護した状態の斜視図であり、図２は、同じく平面図であり、図３は、付属カバーＣ1 及び直状カバーＣ2 の施工順序を示す平面図であり、図４は、付属カバーＣ1 を構成する基台Ｖ1 と、直状カバーＣ2 の基台Ｖ2 とを示す斜視図であり、図５は、付属カバーＣ1 を構成する蓋体Ｌ1 の斜視図であり、図６は、付属カバーＣ1 を構成する基台Ｖ1 と蓋体Ｌ1 とを分離した状態の側面図であり、図７は、図６のＸ−Ｘ線断面図である。図１及び図２には、建築物の入隅部に縦樋３１が設けられ、該縦樋３１を避ける形となってエアコン用冷媒管Ｐが空中配管されて、本発明に係る付属カバーＣ1 を用いて、該冷媒管Ｐの空中配管部が収容保護されている状態が示されている。
【０００８】
次に、図４ないし図７を参照にして、上記付属カバーＣ1 について詳細に説明する。この付属カバーＣ1 は、基台Ｖ1 と、これに結合される蓋体Ｌ1 とで構成される。基台Ｖ1 は、長手方向の中央部に屈曲部１が設けられ、該屈曲部１に関してほぼ対称形状の２つの部分が交叉角４５°で交叉して一体となった形状である。即ち、底壁２の幅方向の両端部に側壁３が相対向して設けられ、各側壁３の外側における長手方向の両端部に蓋体ガイド板４が板面に対して垂直で、しかも前方に傾斜した状態となって一体に設けられている。基台Ｖ1 の長手方向（前後方向）に沿って相対向する一対の蓋体ガイド板４の間には、底壁２が幅方向に延長された底壁延長部５が設けられ、該底壁延長部５の屈曲部分には、該基台Ｖ1 に結合された蓋体Ｌ1 が拡開するのを防止するための拡開防止板６が設けられ、該拡開防止板６の上端部の内側には、基台係合爪７が設けられている。蓋体Ｌ1 の両側壁１２は、前記一対の蓋体ガイド板４の側端面４ａと、前記拡開防止板６の内側面との間に嵌め込まれて結合される。
【０００９】
また、上記付属カバーＣ1 を構成する基台Ｖ1 の底壁２の両端部には、直状カバーＣ2 の基台Ｖ2 の底壁１５を挟持して、該付属カバーＣ1 と直状カバーＣ2 とを接続するための第１及び第２の各挟持片８，９がそれぞれ設けられている。即ち、基台Ｖ1 の底壁２の両端部は、その幅方向の両端部が中央部と分離され、しかも僅かに高い位置に設けられて、この高い位置に設けられた部分が第１挟持片８となっていると共に、その中央部が第２挟持片９となっており、各挟持片８，9 の間に、直状カバーＣ2 の基台Ｖ2 の底壁１５が挿入されて、両者が接続される構造になっている。即ち、付属カバーＣ1 と直状カバーＣ2 との接続状態では、付属カバーＣ1 の基台Ｖ1 に設けられた第１及び第２の各挟持片８，９は、直状カバーＣ2 の基台Ｖ2 の底壁１５の表面側及び裏面側にそれぞれ配置される。また、上記基台Ｖ1 は、屈曲部１に対して対称となっている一方の部分を壁面に密着固定する構成になっているために、該屈曲部１に対して対称となっている部分の底壁２には、それぞれビス挿通孔１０が設けられている。
【００１０】
また、図５ないし図７に示されるように、付属カバーＣ1 を構成する蓋体Ｌ1 は、横断面が逆Ｕ字状となっていて、前記基台Ｖ1 に対応して、その長手方向の中央部に屈曲部１１が設けられ、該屈曲部１１に関してほぼ対称形状の２つの部分が交叉角４５°で交叉して一体となった形状である。蓋体Ｌ1 の両側壁１２は弾性変形可能であって、両側壁１２の外側面の下端部であって、しかも長手方向の中央部の屈曲部１１に位置する部分には、前記基台Ｖ1 の基台係合爪７と係合する蓋体係合爪１３が設けられている。即ち、両側壁１２の上記部分には、基台Ｖ1 に設けられた拡開防止板６と対応した形状の凹部１４が設けられ、該凹部１４の底面に蓋体係合爪１３が突設されている。
【００１１】
このため、付属カバーＣ1 の蓋体Ｌ1 の両側壁１２を縮閉させて、基台Ｖ1 の一対の蓋体ガイド板４の側端面４ａと、拡開防止板６の内側面との間に嵌め込むと、蓋体係合爪１３が基台係合爪７の内側を通過し、その後に両側壁１２の縮閉を解いて原形状に復元されると、蓋体Ｌ1 の側壁１２に設けられた凹部１４に基台Ｖ1 の拡開防止板６が嵌合されると共に、両係合爪７，１３が互いに係合して、基台Ｖ1 に対して蓋体Ｌ1 が結合される。
【００１２】
一方、図２及び図８に示されるように、直状カバーＣ2 は、基台Ｖ2 と、これに結合される蓋体Ｌ2 とから成る。即ち、基台Ｖ2 は、横断面形状がほぼＵ字状となっていて、底壁１５の両側に側壁１６が設けられ、各側壁１６の外側に基台係合爪１７が設けられている。また、蓋体Ｌ2 は、横断面形状がほぼ逆Ｕ字状となっていて、その側壁１８の外側の下端部に蓋体係合爪１９が設けられている。そして、各側壁１６，１８を弾性変形させて、基台Ｖ2 の開口側から蓋体Ｌ2 を覆い被せると、両係合爪１７，１９が互いに係合して、基台Ｖ2 に対して蓋体Ｌ2 が結合される。
【００１３】
そして、上記した付属カバーＣ1 を２個使用して、入隅部に縦樋３１が設けられた建物壁Ｗに、該縦樋３１との干渉を避けて配管されたエアコン用冷媒管Ｐの空中配管部を収容保護するには、以下のようにして行う。まず、図３に示されるように、入隅部を形成している互いに直交する壁面の所定位置にそれぞれ付属カバーＣ1 の基台Ｖ1 を密着固定させる。この密着固定は、基台Ｖ1 の底壁２に設けられたビス挿通孔１０にビスを挿通して行う。ここで、２個の基台Ｖ1 を壁面に密着固定するには、その一方を先に密着固定しておいて、図９ないし図１１に示されるように、所定長に切断された直状カバーＣ2 の基台Ｖ2 に設けられた底壁１５の一端部を、付属カバーＣ1 の基台Ｖ1 の底壁２に設けられた第１及び第２の各挟持片８，９の間に挿入して挟持させる。その後に、該基台Ｖ2 の底壁１５の他端部を、他方の付属カバーＣ1 の基台Ｖ1 の底壁２に設けられた各挟持片８，９の間に挿入挟持させた状態で、該他方の付属カバーＣ1 の基台Ｖ1 を壁面に密着固定させる。これにより、縦樋３１と対向する短い直状カバーＣ2 の基台Ｖ2 は、その全体が空間部に配置された状態で、その両端部がそれぞれ付属カバーＣ1 に挟持される。また、各付属カバーＣ1 の基台Ｖ1 における壁面に密着している側には、それぞれ直上カバーＣ2 の基台Ｖ2 を接続して、壁面に密着固定させておく。
【００１４】
次に、付属カバーＣ1 及び直状カバーＣ2 の各基台Ｖ1,Ｖ2 にエアコン用冷媒管Ｐを収容し、その後に、各基台Ｖ1,Ｖ2 にそれぞれ蓋体Ｌ1,Ｌ2 を覆い被せて結合させると、空中部に配置された直状カバーＣ2 は、付属カバーＣ1 の基台Ｖ1 に設けられた各挟持片８，９を介して、両端の各付属カバーＣ1 に接続され、該冷媒管Ｐの空中配管部は、２個の付属カバーＣ1 と、この間に配置接続された短い直状カバーＣ2 とに収容保護される。
【００１５】
また、図１２に示される実施例は、建物壁Ｗの入隅部に大きな障害物３２が配置され、該障害物３２を避けて配管したエアコン用冷媒管Ｐの空中配管部を収容保護するものである。本実施例では、構造の僅かに異なる付属カバーＣ1,Ｃ'1，Ｃ"1を１個宛、計３個の付属カバーを使用しているが、そのうち１個の付属カバーＣ'1  は、その全体が空中に配置されている点において、上記実施例と異なる。基台Ｖ1 の底壁２に設けられた第１及び第２の各挟持片８，９を使用することにより、４５°で交叉する２本の直状カバーＣ2 の各基台Ｖ2 を前記基台Ｖ1 の両端部に挟持した状態で、該基台Ｖ1 の全体を空中に配置して、エアコン用冷媒管Ｐの空中配管部を収容保護できる。
【００１６】
また、図１３に示されるエアコン用冷媒管Ｐの空中配管例は、建物壁Ｗの平面部に障害物３３が設けられていて、該障害物３３を跨いだ形状となって、該エアコン用冷媒管Ｐが部分的に空中配管されたものである。この空中配管例においては、長手方向の２箇所で逆方向に屈曲されて、直状カバーＣ2 と接続するための各接続開口部（面）が互いに平行となった付属カバーＣ'''1が２個使用される。該付属カバーＣ'''1と直状カバーＣ2 との接続構造は、上記した付属カバーＣ1 と同じである。
【００１７】
更に、上記各実施例では、付属カバーＣ1 の基台Ｖ1 の底壁２に設けられた第１及び第２の各挟持片８，９により、直状カバーＣ2 の基台Ｖ2 の底壁１５を挟持して、付属カバーＣ1 と直状カバーＣ2 とを接続する構成であるが、両者の接続部分の構造は、この挟持構造に限られず、嵌合構造など、いかなる構造であってもよい。例えば、直状カバーの端部の接続部にあり溝を長手方向に形成しておくと共に、付属カバーの接続部に、該あり溝に対応する突条を同方向に形成しておいて、両者を嵌合させるようにしてもよい。
【００１８】
【発明の効果】
本発明は、付属カバーに保持部が設けられていて、該保持部によって、空中に配置される直状カバーと接続されるので、壁面の入隅部などに設けられた障害物を避けて、部分的に空中配管されたエアコン用冷媒管の空中配管部を内部に収容して保護できる。また、施工に際しては、直状カバーの基台を空中に配置した状態で、付属及び直状の各保護カバーの基台どうしを接続した後に、冷媒管を配管し、その後に各基台に蓋体を覆い被せて結合できるので、各カバーの施工も容易となる。
【図面の簡単な説明】
【図１】本発明に係る付属カバーＣ1 を使用してエアコン用冷媒管Ｐの空中配管部を収容保護した状態の斜視図である。
【図２】同じく平面図である。
【図３】付属カバーＣ1 及び直状カバーＣ2 の施工順序を示す平面図である。
【図４】付属カバーＣ1 を構成する基台Ｖ1 と、直状カバーＣ2 の基台Ｖ2 とを示す斜視図である。
【図５】付属カバーＣ1 を構成する蓋体Ｌ1 の斜視図である。
【図６】付属カバーＣ1 を構成する基台Ｖ1 と蓋体Ｌ1 とを分離した状態の側面図である。
【図７】図６のＸ−Ｘ線断面図である。
【図８】図２のＹ−Ｙ線拡大断面図である。
【図９】付属カバーＣ1 の基台Ｖ1 の一端部に直状カバーＣ2 の基台Ｖ2 を挟持した状態の平面図である。
【図１０】図９のＺ1 −Ｚ1 線断面図である。
【図１１】図９のＺ2 −Ｚ2 線断面図である。
【図１２】エアコン用冷媒管Ｐの異なる空中配管例を示す平面図である。
【図１３】建物壁Ｗの平面部に設けられた障害物３３を避けたエアコン用冷媒管Ｐの空中配管例を示す図である。
【符号の説明】
Ｃ1 ：付属カバー
Ｃ2 ：直状カバー
Ｌ1 ：付属カバーの蓋体
Ｌ2 ：直状カバーの蓋体
Ｐ：エアコン用冷媒管
Ｖ1 ：付属カバーの基台
Ｖ2 ：直状カバーの基台
２：付属カバーの基台の底壁
８：第１挟持片（保持部）
９：第２挟持片（保持部）
１５：直状カバーの基台の底壁
【図１】
0003549686.tif 000002
【図２】
0003549686.tif 000003
【図３】
0003549686.tif 000004
【図４】
0003549686.tif 000005
【図５】
0003549686.tif 000006
【図６】
0003549686.tif 000007
【図７】
0003549686.tif 000008
【図８】
0003549686.tif 000009
【図９】
0003549686.tif 000010
【図１０】
0003549686.tif 000011
【図１１】
0003549686.tif 000012
【図１２】
0003549686.tif 000013
【図１３】
0003549686.tif 000014